(57)【要約】【課題】ユーザにセキュリティ上の不安を抱かせることなく、サービスセンター側でインクジェットプリンタの不具合を適切に判断する。【解決手段】ユーザ側に設置されてインクジェットプリンタ２１に接続されたプリンタ制御装置２２と、サービスセンター側に設置されたメンテナンス装置３０と、プリンタ制御装置２２とメンテナンス装置３０との間の通信回線を接続してメンテナンス装置３０によるインクジェットプリンタ２１のメンテナンスを可能とするメンテナンスアプリケーションが格納されたメンテナンスＵＳＢメモリ４０と、を備える。そして、メンテナンスＵＳＢメモリ４０をプリンタ制御装置２２に接続してメンテナンスアプリケーションを立ち上げることで、プリンタ制御装置２２とメンテナンス装置３０との間の通信回線が接続され、メンテナンス装置３０により、インクジェットプリンタ２１の診断等が成される。【選択図】図１
2012059123.tif 000002
【特許請求の範囲】
【請求項１】
ユーザ側に設置されてインクジェットプリンタに接続されたプリンタ制御装置と、サービスセンター側に設置されて前記インクジェットプリンタのメンテナンスを行うメンテナンス装置と、がネットワークを介して接続されたメンテナンスシステムであって、
前記プリンタ制御装置と前記メンテナンス装置との間の通信回線を接続して、前記インクジェットプリンタのプリンタ機器情報を前記プリンタ制御装置から前記メンテナンス装置に送信するメンテナンスアプリケーションが格納された外部記憶装置を備え、
前記外部記憶装置が前記プリンタ制御装置に接続されていないときは、前記プリンタ制御装置と前記メンテナンス装置との間の通信回線が切断され、
前記外部記憶装置が前記プリンタ制御装置に接続されて前記プリンタ制御装置に格納された前記メンテナンスアプリケーションが起動すると、前記プリンタ制御装置と前記メンテナンス装置との間の通信回線が接続されて、前記プリンタ制御装置から前記メンテナンス装置に前記プリンタ機器情報が送信される、
メンテナンスシステム。
【請求項２】
前記プリンタ機器情報は、前記インクジェットプリンタの装置情報、前記インクジェットプリンタの稼動情報、前記インクジェットプリンタの消耗品情報及び前記インクジェットプリンタの装置アラートの少なくとも１つである、請求項１に記載のメンテナンスシステム。
【請求項３】
前記メンテナンス装置は、前記プリンタ制御装置から送信された前記プリンタ機器情報に基づき前記インクジェットプリンタの遠隔診断を行う、請求項１又は２に記載のメンテナンスシステム。
【請求項４】
前記メンテナンス装置は、前記メンテナンスアプリケーションにより接続された通信回線を利用して前記インクジェットプリンタの遠隔保守を行う、請求項１〜３の何れか１項に記載のメンテナンスシステム。
【請求項５】
前記メンテナンス装置は、前記プリンタ制御装置から送信された前記プリンタ機器情報に基づき前記インクジェットプリンタにおけるメンテナンス部品の交換時期を予測する、請求項１〜４の何れか１項に記載のメンテナンスシステム。
【請求項６】
前記メンテナンス装置は、予測したメンテナンス部品の交換時期に基づいて保守員による前記インクジェットプリンタの巡回保守計画を策定する、請求項５に記載のメンテナンスシステム。
【請求項７】
前記メンテナンス装置は、前記プリンタ制御装置から送信された前記プリンタ機器情報に基づき前記インクジェットプリンタの稼動状態を監視し、前記インクジェットプリンタの不具合を発見すると、予め登録された通知手段でユーザに不具合の発生を通知する、請求項１〜６の何れか１項に記載のメンテナンスシステム。
【請求項８】
前記プリンタ制御装置は、前記メンテナンスアプリケーションにより接続された通信回線を利用して前記インクジェットプリンタの動画像を前記メンテナンス装置に送信し、
前記メンテナンス装置は、前記プリンタ制御装置から送信された前記動画像に基づき前記インクジェットプリンタの稼動状態を監視する、請求項７に記載のメンテナンスシステム。
【請求項９】
前記メンテナンス装置は、複数の前記プリンタ制御装置から送信された前記プリンタ機器情報を集計し、メンテナンス部品の生産管理を行う、請求項１〜８の何れか１項に記載のメンテナンスシステム。
【請求項１０】
前記メンテナンス装置は、前記プリンタ機器情報に基づいて、前記インクジェットプリンタに対する前記メンテナンス部品の適合性を診断する、請求項１〜９の何れか１項に記載のメンテナンスシステム。
【請求項１１】
前記メンテナンスアプリケーションは、前記外部記憶装置が前記プリンタ制御装置に接続されることにより自動的に起動する、請求項１〜１０の何れか１項に記載のメンテナンスシステム。
【請求項１２】
ユーザ側に設置されてインクジェットプリンタに接続されたプリンタ制御装置と、サービスセンター側に設置されて前記インクジェットプリンタのメンテナンスを行うメンテナンス装置と、がネットワークを介して接続されたメンテナンスシステムのメンテナンス方法であって、
前記プリンタ制御装置と前記メンテナンス装置との間の通信回線を接続して、前記インクジェットプリンタのプリンタ機器情報を前記プリンタ制御装置から前記メンテナンス装置に送信するメンテナンスアプリケーションが格納された外部記憶装置を用意し、
前記外部記憶装置が前記プリンタ制御装置に接続されていないときは、前記プリンタ制御装置と前記メンテナンス装置との間の通信回線を切断し、
前記外部記憶装置が前記プリンタ制御装置に接続されて前記プリンタ制御装置に格納された前記メンテナンスアプリケーションが起動すると、前記プリンタ制御装置と前記メンテナンス装置との間の通信回線を接続して、前記プリンタ制御装置から前記メンテナンス装置に前記プリンタ機器情報を送信する、
メンテナンス方法。
【発明の詳細な説明】
【技術分野】
【０００１】
本発明は、インクジェットプリンタを遠隔診断するメンテナンスシステム及びメンテナンス方法に関する。
【背景技術】
【０００２】
一般に、インクジェットプリンタには、パソコンなどのプリンタ制御装置が接続されており、このプリンタ制御装置がインクジェットプリンタから様々なプリンタ機器情報（ステータス情報）を取得してインクジェットプリンタの印刷制御を行っている。
っている。
【０００３】
ところで、インクジェットプリンタを利用するユーザは、インクジェットプリンタに不具合が生じると、メーカーのサービスセンターに電話し、必要な情報を入手して不具合の解消を試みている。しかしながら、電話でのコミュニケーションには限界があるため、ユーザとサービスセンターとの間で十分な意思疎通ができない場合が多い。このような場合、サービスセンター側では、インクジェットプリンタの不具合を適切に把握することができないため、適切な措置をユーザに伝えることができず、保守員を現地に派遣してインクジェットプリンタを保守している。
【０００４】
ところが、実際には保守員を派遣しなくてもユーザの簡単な作業で不具合が解消する場合が多いため、特許文献１に記載されたようなメンテナンスシステムが考えられている。このメンテナンスシステムは、ユーザ側のプリンタ制御装置とサービスセンター側の遠隔診断装置とがネットワークを介して接続されて構成されている。そして、プリンタ制御装置から様々なプリンタ機器情報を遠隔診断装置に送信し、遠隔診断装置がこのプリンタ機器情報に基づいてインクジェットプリンタの状態を遠隔診断することで、サービスセンター側で適切な不具合解消措置を判断することが可能となっている。
【先行技術文献】
【特許文献】
【０００５】
【特許文献１】特開２００２−３２４１４１号公報
【発明の概要】
【発明が解決しようとする課題】
【０００６】
しかしながら、特許文献１に記載されたような遠隔診断を行うと、ユーザの知らない間にプリンタ制御装置から様々なプリンタ機器情報をサービスセンター側で吸い上げることが可能となるため、ユーザは、常にサービスセンターに監視されているとのセキュリティ上の不安を抱く可能性がある。
【０００７】
そこで、本発明は、ユーザにセキュリティ上の不安を抱かせることなく、サービスセンター側でインクジェットプリンタの不具合を適切に判断することができるメンテナンスシステム及びメンテナンス方法を提供することを目的とする。
【課題を解決するための手段】
【０００８】
本発明に係るメンテナンスシステムは、ユーザ側に設置されてインクジェットプリンタに接続されたプリンタ制御装置と、サービスセンター側に設置されてインクジェットプリンタのメンテナンスを行うメンテナンス装置と、がネットワークを介して接続されたメンテナンスシステムであって、プリンタ制御装置とメンテナンス装置との間の通信回線を接続して、インクジェットプリンタのプリンタ機器情報をプリンタ制御装置からメンテナンス装置に送信するメンテナンスアプリケーションが格納された外部記憶装置を備え、外部記憶装置がプリンタ制御装置に接続されていないときは、プリンタ制御装置とメンテナンス装置との間の通信回線が切断され、外部記憶装置がプリンタ制御装置に接続されてプリンタ制御装置に格納されたメンテナンスアプリケーションが起動すると、プリンタ制御装置とメンテナンス装置との間の通信回線が接続されて、プリンタ制御装置からメンテナンス装置にプリンタ機器情報が送信される。
【０００９】
本発明に係るメンテナンスシステムによれば、外部記憶装置をプリンタ制御装置に接続して外部記憶装置に格納されたメンテナンスアプリケーションを起動することで、初めてプリンタ制御装置とメンテナンス装置との通信回線が接続されて、インクジェットプリンタのプリンタ機器情報がプリンタ制御装置からメンテナンス装置に送信される。このように、外部規則装置をプリンタ制御装置に接続するというユーザ側の行為を契機としてメンテナンス装置にプリンタ機器情報を送信するため、ユーザにセキュリティ上の不安を与えることなく、サービスセンター側でインクジェットプリンタの具体的な状態を得ることができる。これにより、例えば、インクジェットプリンタの診断、保守、監視などを適切に行うことができる。
【００１０】
この場合、プリンタ機器情報は、インクジェットプリンタの装置情報、インクジェットプリンタの稼動情報、インクジェットプリンタの消耗品情報及びインクジェットプリンタの装置アラートの少なくとも一つであることが好ましい。これにより、インクジェットプリンタの状態をより適切に判断することができる。
【００１１】
そして、メンテナンス装置は、プリンタ制御装置から送信されたプリンタ機器情報に基づきインクジェットプリンタの遠隔診断を行うことが好ましい。これにより、ユーザに与えるセキュリティ上の不安を低減しつつ、プリンタ機器情報に基づいたインクジェットプリンタの遠隔診断を行うことができ、メンテナンス装置においてインクジェットプリンタの不具合発生状態を的確に把握することができる。そして、例えば、ユーザの簡単な作業で解消できる不具合の場合は、ユーザに作業内容を連絡することで保守員を派遣することなく迅速に不具合を解消することができ、保守員の派遣を必要とする不具合の場合であっても、保守員を派遣する前に不具合原因を絞り込むことができるため、現地での保守作業を迅速に行うことができる。
【００１２】
また、メンテナンス装置は、メンテナンスアプリケーションにより接続された通信回線を利用してインクジェットプリンタの遠隔保守を行うことが好ましい。これにより、ユーザに与えるセキュリティ上の不安を低減しつつ、インクジェットプリンタの遠隔保守を行うことができ、インクジェットプリンタの不具合原因を的確に特定して、インクジェットプリンタの不具合を早期に解決することができる。例えば、インクジェットプリンタに対して、テストプログラムの起動、アラームリセット、ファームバージョンアップなどの遠隔保守を行うことで、インクジェットプリンタの不具合を絞り込み、より適切な解決手段を探ることができる。
【００１３】
また、メンテナンス装置は、プリンタ制御装置から送信されたプリンタ機器情報に基づきインクジェットプリンタにおけるメンテナンス部品の交換時期を予測することが好ましい。これにより、ユーザに与えるセキュリティ上の不安を低減しつつ、定期交換部品や消耗品などのメンテナンス部品の交換時期を予測することができる。そして、例えば、メンテナンス部品の交換時期が近づいていることをユーザに通知したり、メンテナンス部品の交換時期に合わせて保守員を巡回させたりすることで、適時にメンテナンス部品を交換することができる。
【００１４】
この場合、メンテナンス装置は、予測したメンテナンス部品の交換時期に基づいて保守員によるインクジェットプリンタの巡回保守計画を策定することが好ましい。このように、保守員による巡回保守計画を策定することで、保守員による無駄な巡回を低減して、効率的に保守員を巡回させることができる。
【００１５】
また、メンテナンス装置は、プリンタ制御装置から送信されたプリンタ機器情報に基づきインクジェットプリンタの稼動状態を監視し、インクジェットプリンタの不具合を発見すると、予め登録された通知手段でユーザに不具合の発生を通知することが好ましい。これにより、ユーザに与えるセキュリティ上の不安を低減しつつ、インクジェットプリンタの稼動状態を監視することができる。そして、インクジェットプリンタの不具合を発見すると、予め登録された通知手段でユーザに不具合の発生を通知するため、ユーザは、常にインクジェットプリンタの前に待機しなくてもインクジェットプリンタの不具合を知り得ることができる。このため、夜間や休日の無人運転の際に、例えば、インク切れによる記録中断、メディア切れによる記録中断、メディアとインクジェットヘッドとの擦れによる駆動トラブルなどが発生しても、これらの不具合がユーザに通知されるため、早急に不具合の解消を図ることが可能となる。
【００１６】
この場合、プリンタ制御装置は、メンテナンスアプリケーションにより接続された通信回線を利用してインクジェットプリンタの動画像をメンテナンス装置に送信し、メンテナンス装置は、プリンタ制御装置から送信された動画像に基づきインクジェットプリンタの稼動状態を監視することが好ましい。これにより、メンテナンス装置側では、インクジェットプリンタの実際の稼動状態を視認することが可能となるため、監視者などによる視認により確実にインクジェットプリンタの不具合を発見することが可能となる。
【００１７】
また、メンテナンス装置は、複数のプリンタ制御装置から送信されたプリンタ機器情報を集計し、メンテナンス部品の生産管理を行うことが好ましい。このように、複数のプリンタ制御装置から送信されたプリンタ機器情報を集計することで、市場におけるメンテナンス部品の消費傾向を判断することができる。このため、この集計に基づいてメンテナンス部品の生産管理を行うことで、効率的なメンテナンス部品の生産及び在庫管理を行うことができる。
【００１８】
また、メンテナンス装置は、プリンタ機器情報に基づいて、インクジェットプリンタに対するメンテナンス部品の適合性を診断することが好ましい。このように、プリンタ機器情報に基づいてインクジェットプリンタに対するメンテナンス部品の適合性を診断することで、例えば、適切なインクを使用しているか、インク特性に応じた設定になっているか等を判断することができる。
【００１９】
また、メンテナンスアプリケーションは、外部記憶装置がプリンタ制御装置に接続されることにより自動的に起動することが好ましい。このように、外部記憶装置がプリンタ制御装置に接続されることによりメンテナンスアプリケーションが自動的に起動することで、ユーザがメンテナンスアプリケーションを立ち上げる手間を省くことができる。
【００２０】
本発明に係るメンテナンス方法は、ユーザ側に設置されてインクジェットプリンタに接続されたプリンタ制御装置と、サービスセンター側に設置されてインクジェットプリンタのメンテナンスを行うメンテナンス装置と、がネットワークを介して接続されたメンテナンスシステムのメンテナンス方法であって、プリンタ制御装置とメンテナンス装置との間の通信回線を接続して、インクジェットプリンタのプリンタ機器情報をプリンタ制御装置からメンテナンス装置に送信するメンテナンスアプリケーションが格納された外部記憶装置を用意し、外部記憶装置がプリンタ制御装置に接続されていないときは、プリンタ制御装置とメンテナンス装置との間の通信回線を切断し、外部記憶装置がプリンタ制御装置に接続されてプリンタ制御装置に格納されたメンテナンスアプリケーションが起動すると、プリンタ制御装置とメンテナンス装置との間の通信回線を接続して、プリンタ制御装置からメンテナンス装置にプリンタ機器情報を送信する。
【００２１】
本発明に係るメンテナンス方法によれば、外部記憶装置をプリンタ制御装置に接続して外部記憶装置に格納されたメンテナンスアプリケーションを起動することで、初めてプリンタ制御装置とメンテナンス装置との通信回線が接続されて、インクジェットプリンタのプリンタ機器情報がプリンタ制御装置からメンテナンス装置に送信される。このように、外部規則装置をプリンタ制御装置に接続するというユーザ側の行為を契機としてメンテナンス装置にプリンタ機器情報を送信するため、ユーザにセキュリティ上の不安を与えることなく、サービスセンター側でインクジェットプリンタの具体的な状態を得ることができる。これにより、例えば、インクジェットプリンタの診断、保守、監視などを適切に行うことができる。
【発明の効果】
【００２２】
本発明によれば、ユーザにセキュリティ上の不安を抱かせることなく、サービスセンター側でインクジェットプリンタの不具合を適切に判断することができる。
【図面の簡単な説明】
【００２３】
【図１】本実施形態に係るメンテナンスシステムのネットワーク構成を示した図である。
【図２】メンテナンス契約処理を示したシーケンスチャートである。
【図３】遠隔診断／保守サービスを示したシーケンスチャートである。
【図４】消耗品監視サービスを示したシーケンスチャートである。
【図５】稼動状態監視サービスを示したシーケンスチャートである。
【図６】インクの生産管理処理を示したシーケンスチャートである。
【発明を実施するための形態】
【００２４】
以下、図面を参照して、本発明に係るメンテナンスシステム及びメンテナンス方法の好適な実施形態について詳細に説明する。なお、全図中、同一又は相当部分には同一符号を付すこととする。
【００２５】
始めに、本実施形態に係るメンテナンスシステムの概略構成を説明する。
【００２６】
図１は、本実施形態に係るメンテナンスシステムのネットワーク構成を示した図である。図１に示すように、メンテナンスシステム１は、ユーザ側に設置される複数のプリンタシステム２０と、サービスセンター側に設置されるメンテナンス装置３０とを備えており、各プリンタシステム２０とメンテナンス装置３０とが、インターネットなどのネットワーク１０を介して通信可能に接続されている。
【００２７】
各プリンタシステム２０は、記録メディアに画像等を記録するインクジェットプリンタ２１と、このインクジェットプリンタ２１に接続されたプリンタ制御装置２２と、を備えており、インクジェットプリンタ２１とプリンタ制御装置２２とは、ＬＡＮケーブルやＵＳＢケーブルなどで通信可能に接続されている。なお、図１では、ユーザ毎にプリンタシステム２０を符号ａ〜ｃで識別しており、プリンタシステム２０ａには、インクジェットプリンタ２１ａ及びプリンタ制御装置２２ａが備えられており、プリンタシステム２０ｂには、インクジェットプリンタ２１ｂ及びプリンタ制御装置２２ｂが備えられており、プリンタシステム２０ｃには、インクジェットプリンタ２１ｃ及びプリンタ制御装置２２ｃが備えられている。
【００２８】
メンテナンス装置３０は、インクジェットプリンタ２１のメンテナンスを行うものである。このメンテナンス装置３０は、ネットワークＦＥＰ（Front End Processor）３１と、診断装置３２と、生産管理装置３３と、を備えており、ネットワークＦＥＰ３１と診断装置３２及び生産管理装置３３とは、イントラネットで通信可能に接続されている。
【００２９】
次に、メンテナンスシステム１を構成する各機器について詳細に説明する。
【００３０】
プリンタ制御装置２２は、インクジェットプリンタ２１の印刷制御を行うとともに、インクジェットプリンタ２１からプリンタ機器情報を取得してインクジェットプリンタ２１の管理を行うものである。このプリンタ機器情報は、インクジェットプリンタ２１に関する様々情報で構成されており、例えば、装置情報、稼動情報、消耗品情報などが挙げられる。なお、プリンタ機器情報は、装置情報、稼動情報、消耗品情報のうち少なくとも１つあれば良い。装置情報としては、インクジェットプリンタ２１の製造番号、装置種別、バージョン情報、各種設定情報などが挙げられる。稼動情報としては、インクジェットプリンタ２１の稼働時間、記録枚数、稼動状態、定期交換部品状態、稼動ログ、装置アラート情報、障害履歴などが挙げられる。この装置アラートは、インクジェットプリンタ２１の異常を知らせる情報であり、インク切れ、メディア切れ、ヘッドの動作不良、メディアの搬送不良などが挙げられる。消耗品情報としては、インクジェットプリンタ２１に装着されているインクカートリッジの製造番号（識別番号）、インク種類、インクカートリッジの使用量、記録メディア種別、記録メディア使用量などが挙げられる。
【００３１】
また、プリンタ制御装置２２には、インクジェットプリンタ２１を撮像するＷｅｂカメラ（不図示）が接続されており、このＷｅｂカメラで撮像したインクジェットプリンタ２１の動画像を取得する。
【００３２】
そして、プリンタ制御装置２２は、後述するメンテナンスＵＳＢメモリ４０が接続されることにより、メンテナンス装置３０との間の通信回線を接続し、メンテナンス装置３０との間で通信を行うことが可能となっている。
【００３３】
ここで、メンテナンスＵＳＢメモリ４０について説明する。
【００３４】
メンテナンスＵＳＢメモリ４０は、ＵＳＢ（Universal Serial Bus）を用いてプリンタ制御装置２２に対して着脱可能に接続される外部記憶装置である。このメンテナンスＵＳＢメモリ４０は、メーカーとユーザとのメンテナンス契約に基づき、メーカーから各ユーザに配布されるものである。なお、図１では、プリンタ制御装置２２ａにメンテナンスＵＳＢメモリ４０ａが接続され、プリンタ制御装置２２ｂにメンテナンスＵＳＢメモリ４０ｂが接続され、プリンタ制御装置２２ｃにメンテナンスＵＳＢメモリ４０ｃが接続される。このメンテナンス契約は、遠隔診断サービス、遠隔保守サービス、消耗品監視サービス、稼動状況監視サービスがあり、詳細は後述する。そして、このメンテナンスＵＳＢメモリ４０には、契約したユーザのユーザ番号（識別番号）、メンテナンスを受けるインクジェットプリンタ２１の装置番号、メンテナンス契約を行った契約サービスなどの情報と、インクジェットプリンタ２１をメンテナンスするためのメンテナンスアプリケーションが格納されている。
【００３５】
このメンテナンスアプリケーションには、ＨＴＴＰプロトコルのポート８０を利用してプリンタ制御装置２２とネットワークＦＥＰ３１との間の通信回線を接続する機能と、インクジェットプリンタ２１からプリンタ機器情報を取得するとともにＷｅｂカメラからインクジェットプリンタ２１の動画像を取得する機能と、このプリンタ機器情報及び動画像をネットワークＦＥＰ３１に送信する機能と、が含まれている。メンテナンスアプリケーションによるプリンタ制御装置２２とネットワークＦＥＰ３１と間の通信回線の接続は、ＦＴＰ（ファイル転送プロトコル）のパッシブモードにより、メンテナンスＵＳＢメモリ４０が接続されるプリンタ制御装置２２からネットワークＦＥＰ３１へのコネクションを確立することにより行われる。なお、メンテナンスアプリケーションは、メンテナンスＵＳＢメモリ４０がプリンタ制御装置２２に接続されたのちユーザ操作により起動されるものとしても良いが、オートラン（Autorun）機能などを利用してメンテナンスＵＳＢメモリ４０プリンタ制御装置２２に接続されると自動的に起動されるものとすることが好ましい。
【００３６】
ネットワークＦＥＰ３１は、プリンタ制御装置２２との間の通信を行うＷｅｂシステムである。このネットワークＦＥＰ３１は、プリンタ制御装置２２に接続されたメンテナンスＵＳＢメモリ４０に格納されたメンテナンスアプリケーションが起動することにより、プリンタ制御装置２２との間で通信回線を接続する処理を行う。そして、ネットワークＦＥＰ３１は、プリンタ制御装置２２との間の通信回線が接続されると、この通信回線を利用してプリンタ制御装置２２から送信されたプリンタ機器情報や動画像を取得して蓄積管理する。
【００３７】
診断装置３２は、プリンタ制御装置２２とネットワークＦＥＰ３１との間に接続された通信回線を介して、プリンタ制御装置２２に対する遠隔診断サービス、遠隔保守サービス、消耗品監視サービス、稼動状況監視サービスを行うものである。遠隔診断サービスは、プリンタ制御装置２２から取得したプリンタ機器情報に基づいてインクジェットプリンタ２１を診断するサービスである。遠隔保守サービスは、ネットワーク１０を介してインクジェットプリンタ２１の保守を実行するサービスである。消耗品監視サービスは、プリンタ制御装置２２から取得したプリンタ機器情報に基づいて定期交換部品や消耗品などのメンテナンス部品の交換時期を予測して保守員によるメンテナンス部品の交換を適時に行うサービスである。稼動状況監視サービスは、プリンタ制御装置２２から取得したプリンタ機器情報及び動画像に基づいてインクジェットプリンタ２１の稼動状況を監視するサービスである。
【００３８】
このため、診断装置３２は、遠隔診断サービスとして、プリンタ制御装置２２からプリンタ機器情報を取得し、この取得したプリンタ機器情報を分析してインクジェットプリンタ２１の不具合発生状態を特定する。更に、診断装置３２は、遠隔診断サービスとして、取得したプリンタ機器情報を分析してインクジェットプリンタ２１に対するメンテナンス部品の適合性を診断し、適切なインクを使用しているか、インク特性に応じた設定になっているか等を判断する。
【００３９】
また、診断装置３２は、遠隔保守サービスとして、遠隔診断サービスにより特定した不具合発生状態に基づいて、インクジェットプリンタ２１に対して、テストプログラムの起動、アラームリセット、ファームバージョンアップなどを行い、インクジェットプリンタ２１の不具合原因を絞り込んでインクジェットプリンタ２１の不具合解消を試みる。
【００４０】
また、診断装置３２は、消耗品監視サービスとして、プリンタ制御装置２２からプリンタ機器情報を取得し、この取得したプリンタ機器情報を分析してメンテナンス部品の交換時期を予測するとともに、メンテナンス部品の交換時期が近づくと、保守員によるインクジェットプリンタ２１の巡回保守計画を策定する。なお、消耗品監視サービスでは、巡回保守計画を策定することなく、ユーザに対して定期交換部品や消耗品の交換時期が近づいていることを通知するのみでも良い。
【００４１】
また、診断装置３２は、稼動状態監視サービスとして、プリンタ制御装置２２からプリンタ機器情報及びインクジェットプリンタ２１の動画像を取得し、この取得したプリンタ機器情報及び動画像の分析及び監視員による視認によりインクジェットプリンタ２１の稼動状態を監視し、インクジェットプリンタ２１の障害を発見すると、予め登録された通知手段でユーザに障害を通知する。
【００４２】
なお、診断装置３２は、これらの各サービスを行う度に、プリンタ機器情報に対するインクジェットプリンタ２１の障害情報を市場障害データとしてデータベース化しておき、今後発生する不具合の解消に利用する。
【００４３】
生産管理装置３３は、診断装置３２による各サービスの実行においてネットワークＦＥＰ３１が取得したプリンタ機器情報に基づいて、インクなどの消耗品の生産管理を行うものである。すなわち、生産管理装置３３は、複数のプリンタ制御装置２２から取得したプリンタ機器情報の消耗品情報を集計し、市場における消耗品の消費傾向を判断して消耗品の生産管理を行う。
【００４４】
次に、メンテナンスシステム１の処理動作について説明する。
【００４５】
図２は、メンテナンス契約処理を示したシーケンスチャートである。図２に示すように、メンテナンスシステム１によるメンテナンスを行うに先立ち、まず、インクジェットプリンタ２１のメーカーと、インクジェットプリンタ２１を購入して設置しているユーザとの間でメンテナンス契約を締結する（ステップＳ１）。このメンテナンス契約では、プリンタシステム２０毎に、遠隔診断サービス、遠隔保守サービス、消耗品監視サービス及び稼動状態監視サービスのうち、何れのサービスを行うかを契約する。このとき、メーカーでは、プリンタシステム２０毎に、ユーザ番号及び装置番号を登録するとともに、メンテナンス契約を行った契約サービスをユーザ番号及び装置番号に対応付けて登録しておく。なお、本実施形態では、遠隔診断サービスと遠隔保守サービスを一本化し、遠隔診断／保守サービスとする。
【００４６】
次に、メーカーは、ステップＳ１の契約に基づいて、ユーザ番号、装置番号及び契約サービスなどの登録情報と、メンテナンスアプリケーションとを格納したメンテナンスＵＳＢメモリ４０を作成し（ステップＳ２）、このメンテナンスＵＳＢメモリ４０をユーザに配布する（ステップＳ３）。これにより、ユーザは、メンテナンスＵＳＢメモリ４０を取得する（ステップＳ４）。
【００４７】
［遠隔診断／保守サービス］
次に、図３を参照して、遠隔診断／保守サービスのメンテナンス契約を締結したユーザに対する遠隔診断／保守サービスの処理動作について説明する。図３は、遠隔診断／保守サービスを示したシーケンスチャートである。
【００４８】
図３に示すように、遠隔診断／保守サービスは、ユーザがメンテナンスＵＳＢメモリ４０をプリンタ制御装置２２に接続することにより開始する。すなわち、プリンタシステム２０において、インクジェットプリンタ２１に障害（不具合）が発生すると、ユーザは、メンテナンスＵＳＢメモリ４０をプリンタ制御装置２２に接続し、メンテナンスＵＳＢメモリ４０に格納されているメンテナンスアプリケーションを起動させる（ステップＳ２１）。なお、メンテナンスＵＳＢメモリ４０がプリンタ制御装置２２に接続されることによりメンテナンスアプリケーションが自動的に起動する場合は、ユーザによるメンテナンスアプリケーションの起動操作は特に不要である。また、メンテナンスＵＳＢメモリ４０をプリンタ制御装置２２に接続するのはユーザの自由意志であるため、インクジェットプリンタ２１に障害（不具合）が発生したか否かに関わらずメンテナンスＵＳＢメモリ４０がプリンタ制御装置２２に接続されても良く、例えば、常にメンテナンスＵＳＢメモリ４０がプリンタ制御装置２２に接続されていても良い。
【００４９】
そして、メンテナンスアプリケーションが起動されると、メンテナンスアプリケーションに従い、ＨＴＴＰプロトコルのポート８０を利用したプリンタ制御装置２２からネットワークＦＥＰ３１へのコネクションの確立が行われ、プリンタ制御装置２２とネットワークＦＥＰ３１との間の通信回線が接続される（ステップＳ２２）。なお、メンテナンスアプリケーションによりプリンタ制御装置２２からネットワークＦＥＰ３１へのコネクション確立が行われる前は、プリンタ制御装置２２とネットワークＦＥＰ３１との間の通信回線が切断されている。
【００５０】
このようにしてプリンタ制御装置２２とネットワークＦＥＰ３１との間の通信回線が接続されると、プリンタ制御装置２２は、メンテナンスアプリケーションに従い、インクジェットプリンタ２１のプリンタ機器情報を取得する（ステップＳ２３）。なお、ステップＳ２３では、プリンタ機器情報の全ての情報を取得しても良いが、プリンタ機器情報のうち遠隔診断／保守サービスに必要な情報のみを取得しても良い。後者の場合、プリンタ機器情報として、例えば、装置種別、製造番号、バージョン情報、装置状態、稼動ログ、インク種類、記録メディア種別のみを取得しても良い。
【００５１】
そして、プリンタ制御装置２２は、メンテナンスアプリケーションに従い、ステップＳ２３で取得したプリンタ機器情報をステップＳ２２で接続した通信回線を利用してネットワークＦＥＰ３１に送信する（ステップＳ２４）。
【００５２】
このように、プリンタ制御装置２２からネットワークＦＥＰ３１にプリンタ機器情報が転送されると、ネットワークＦＥＰ３１は、プリンタ機器情報を蓄積するとともに、プリンタ機器情報を診断装置３２に転送する。
【００５３】
ネットワークＦＥＰ３１から診断装置３２にプリンタ機器情報が転送されると、診断装置３２は、まず、このプリンタ機器情報を分析し、ユーザ番号、装置番号及び契約サービスの確認を行う（ステップＳ２５）。すなわち、ステップＳ２５では、プリンタ機器情報に含まれているユーザ番号及び装置番号が、ステップＳ１の契約で登録したユーザ番号及び装置番号であるか否かを確認するとともに、このユーザ番号及び装置番号に対応付けられている契約サービスが遠隔診断／保守サービスであるか否かを確認する。
【００５４】
ユーザ番号、装置番号及び契約サービスの確認が終了すると、診断装置３２は、プリンタシステム２０の遠隔診断処理を行う（ステップＳ２６）。ステップＳ２６の遠隔診断処理では、プリンタ機器情報を分析して、インクジェットプリンタ２１の不具合発生状態を特定する。そして、過去の市場障害データに類似ケースがあれば、この類似ケースを当てはめることで不具合の原因を特定する。また、ステップＳ２６の遠隔診断処理では、プリンタ機器情報を分析して、インクジェットプリンタ２１に対するメンテナンス部品の適合性を診断する。なお、予めインクジェットプリンタ２１に適合するメンテナンス部品のリストが登録されており、この登録されたメンテナンス部品が使用されているか否かに基づいてメンテナンス部品の適合性が診断される。
【００５５】
次に、診断装置３２は、プリンタシステム２０の遠隔保守処理を行う（ステップＳ２７）。ステップＳ２７の遠隔保守処理では、ステップＳ２６で生成した障害情報に基づいて、インクジェットプリンタ２１に対して、テストプログラムの起動、アラームリセット、ファームバージョンアップなどを行い、インクジェットプリンタ２１の不具合原因を絞り込んでインクジェットプリンタ２１の不具合解消を試みる。これにより、プリンタ制御装置２２では、テストプログラムの起動、アラームリセット、ファームバージョンアップなどが行われることで、インクジェットプリンタ２１の不具合が解消する。
【００５６】
なお、場合によっては、ステップＳ２７を行う前に、又は、ステップＳ２７を行わずに、ステップＳ２６で特定した不具合発生状態に基づいてサービスセンターからユーザに対して不具合解消のための対応策を指示するようにしても良い。
【００５７】
［消耗品監視サービス］
次に、図４を参照して、消耗品監視サービスのメンテナンス契約を締結したユーザに対する消耗品監視サービスの処理動作について説明する。図４は、消耗品監視サービスを示したシーケンスチャートである。
【００５８】
図４に示すように、消耗品監視サービスは、ユーザがメンテナンスＵＳＢメモリ４０をプリンタ制御装置２２に接続することにより開始する。すなわち、定期交換部品や消耗品などのメンテナンス部品を適時に届けてもらいたいユーザは、断続的又は継続的にメンテナンスＵＳＢメモリ４０をプリンタ制御装置２２に接続し、メンテナンスＵＳＢメモリ４０に格納されているメンテナンスアプリケーションを起動させる（ステップＳ３１）。なお、メンテナンスＵＳＢメモリ４０がプリンタ制御装置２２に接続されることによりメンテナンスアプリケーションが自動的に起動する場合は、ユーザによるメンテナンスアプリケーションの起動操作は特に不要である。
【００５９】
そして、メンテナンスアプリケーションが起動されると、メンテナンスアプリケーションに従い、ＨＴＴＰプロトコルのポート８０を利用したプリンタ制御装置２２からネットワークＦＥＰ３１へのコネクションの確立が行われ、プリンタ制御装置２２とネットワークＦＥＰ３１との間の通信回線が接続される（ステップＳ３２）。なお、メンテナンスアプリケーションによりプリンタ制御装置２２からネットワークＦＥＰ３１へのコネクション確立が行われる前は、プリンタ制御装置２２とネットワークＦＥＰ３１との間の通信回線が切断されている。
【００６０】
このようにしてプリンタ制御装置２２とネットワークＦＥＰ３１との間の通信回線が接続されると、プリンタ制御装置２２は、メンテナンスアプリケーションに従い、インクジェットプリンタ２１のプリンタ機器情報を取得する（ステップＳ３３）。なお、ステップＳ３３では、プリンタ機器情報の全ての情報を取得しても良いが、プリンタ機器情報のうち消耗品監視サービスに必要な情報のみを取得しても良い。後者の場合、プリンタ機器情報として、例えば、装置種別、製造番号、バージョン情報、稼働時間、記録枚数、障害履歴、インクカートリッジの製造番号（識別番号）、インク種類、インクカートリッジの使用量、記録メディア種別、記録メディア使用量のみを取得しても良い。
【００６１】
そして、プリンタ制御装置２２は、メンテナンスアプリケーションに従い、ステップＳ３３で取得したプリンタ機器情報をステップＳ３２で接続した通信回線を利用してネットワークＦＥＰ３１に送信する（ステップＳ３４）。
【００６２】
このように、プリンタ制御装置２２からネットワークＦＥＰ３１にプリンタ機器情報が転送されると、ネットワークＦＥＰ３１は、プリンタ機器情報を蓄積するとともに、プリンタ機器情報を診断装置３２に転送する。
【００６３】
ネットワークＦＥＰ３１から診断装置３２にプリンタ機器情報が転送されると、診断装置３２は、まず、このプリンタ機器情報を分析し、ユーザ番号、装置番号及び契約サービスの確認を行う（ステップＳ３５）。すなわち、ステップＳ３５では、プリンタ機器情報に含まれているユーザ番号及び装置番号が、ステップＳ１の契約で登録したユーザ番号及び装置番号であるか否かを確認するとともに、このユーザ番号及び装置番号に対応付けられている契約サービスが消耗品監視サービスであるか否かを確認する。
【００６４】
ユーザ番号、装置番号及び契約サービスの確認が終了すると、診断装置３２は、プリンタ機器情報からメンテナンス部品に関する情報を特定する（ステップＳ３６）。
【００６５】
次に、診断装置３２は、ステップＳ３６で特定したメンテナンス部品の情報から、メンテナンス部品の交換時期を算出し、保守員による保守メニュー及び保守員による巡回保守スケジュールを策定する（ステップＳ３７）。そして、ステップＳ３７で策定された保守メニュー及び巡回保守スケジュールに沿って、保守員が各ユーザを巡回して現地にてインクジェットプリンタ２１の保守を行う（ステップＳ３８）。
【００６６】
［稼動状態監視サービス］
次に、図５を参照して、稼動状態監視サービスのメンテナンス契約を締結したユーザに対する稼動状態監視サービスの処理動作について説明する。図５は、稼動状態監視サービスを示したシーケンスチャートである。
【００６７】
図５に示すように、稼動状態監視サービスは、ユーザがメンテナンスＵＳＢメモリ４０をプリンタ制御装置２２に接続することにより開始する。すなわち、夜間や休日などのユーザ不在時にインクジェットプリンタ２１の稼動状態を監視してもらいたいときに、ユーザは、メンテナンスＵＳＢメモリ４０をプリンタ制御装置２２に接続し、メンテナンスＵＳＢメモリ４０に格納されているメンテナンスアプリケーションを起動させる（ステップＳ４１）。なお、メンテナンスＵＳＢメモリ４０がプリンタ制御装置２２に接続されることによりメンテナンスアプリケーションが自動的に起動する場合は、ユーザによるメンテナンスアプリケーションの起動操作は特に不要である。
【００６８】
そして、メンテナンスアプリケーションが起動されると、メンテナンスアプリケーションに従い、ＨＴＴＰプロトコルのポート８０を利用したプリンタ制御装置２２からネットワークＦＥＰ３１へのコネクションの確立が行われ、プリンタ制御装置２２とネットワークＦＥＰ３１との間の通信回線が接続される（ステップＳ４２）。なお、メンテナンスアプリケーションによりプリンタ制御装置２２からネットワークＦＥＰ３１へのコネクション確立が行われる前は、プリンタ制御装置２２とネットワークＦＥＰ３１との間の通信回線が切断されている。
【００６９】
このようにしてプリンタ制御装置２２とネットワークＦＥＰ３１との間の通信回線が接続されると、プリンタ制御装置２２は、メンテナンスアプリケーションに従い、インクジェットプリンタ２１からプリンタ機器情報を取得するとともにＷｅｂカメラからインクジェットプリンタ２１の動画像を取得する（ステップＳ４３）。なお、ステップＳ４３では、プリンタ機器情報の全ての情報を取得しても良いが、プリンタ機器情報のうち稼動状態監視サービスに必要な情報のみを取得しても良い。後者の場合、プリンタ機器情報として、例えば、装置アラートのみを取得しても良い。
【００７０】
そして、プリンタ制御装置２２は、メンテナンスアプリケーションに従い、ステップＳ４３で取得したプリンタ機器情報及び動画像をステップＳ４２で接続した通信回線を利用してネットワークＦＥＰ３１に送信する（ステップＳ４４）。
【００７１】
このように、プリンタ制御装置２２からネットワークＦＥＰ３１にプリンタ機器情報及び動画像が転送されると、ネットワークＦＥＰ３１は、プリンタ機器情報を蓄積するとともに、プリンタ機器情報及び動画像を診断装置３２に転送する。
【００７２】
ネットワークＦＥＰ３１から診断装置３２にプリンタ機器情報及び動画像が転送されると、診断装置３２は、まず、このプリンタ機器情報を分析し、ユーザ番号、装置番号及び契約サービスの確認を行う（ステップＳ４５）。すなわち、ステップＳ４５では、プリンタ機器情報に含まれているユーザ番号及び装置番号が、ステップＳ１の契約で登録したユーザ番号及び装置番号であるか否かを確認し、更に、このユーザ番号及び装置番号に対応付けられている契約サービスが稼動状態監視サービスであるか否かを確認する。
【００７３】
ユーザ番号、装置番号及び契約サービスの確認が終了すると、診断装置３２は、プリンタシステム２０の稼動状態監視を行う（ステップＳ４６）。ステップＳ４６の稼動状態監視では、装置アラートの監視を行うとともに、動画像の監視を行う。なお、装置アラートの監視はソフトウェア処理によりプリンタ機器情報に装置アラートが含まれているか否かを検出することにより行うことができ、動画像の監視は監視者による目視によりインクジェットプリンタ２１に異常が発生したか否かを判断することにより行うことができる。
【００７４】
そして、診断装置３２は、装置アラートの監視及び動画像の監視によりインクジェットプリンタ２１の不具合を検出すると、予め登録された通知手段でユーザに不具合を通知する（ステップＳ４７）。通知手段は、例えば、携帯電話への通話や、携帯電話のメールアドレスへのメール送信や、パソコンのメールアドレスへのメール送信などが挙げられる。
【００７５】
このようにして診断装置３２から不具合の通知を受けたユーザは、早急にインクジェットプリンタ２１の復旧措置を講じることが可能となる。
【００７６】
［生産管理処理］
次に、図６を参照して、メンテナンス装置３０における生産管理処理について説明する。図６は、生産管理処理を示したシーケンスチャートである。
【００７７】
図６に示すように、生産管理処理では、まず、ネットワークＦＥＰ３１が、上述した遠隔診断サービス、遠隔保守サービス、消耗品監視サービス、稼動状態監視サービスにおいて複数のプリンタ制御装置２２から取得したプリンタ機器情報に含まれる消耗品情報を生産管理装置３３に送信する（ステップＳ５１）。なお、ネットワークＦＥＰ３１から生産管理装置３３への消耗品情報の送付は、随時行ってもよく定期的に行っても良い。
【００７８】
次に、生産管理装置３３は、ステップＳ５１で取得した消耗品情報を集計し、消耗品の市場データを生成する（ステップＳ５２）。消耗品の市場データは、消耗品の消費に関する情報であり、例えば、インクカートリッジの製造番号やインク種類などに基づいた市場全体又は地域毎のインクの消費量を示す情報である。
【００７９】
次に、生産管理装置３３は、ステップＳ５２で生成した市場データを解析して、インクカートリッジやインク種類ごとに、市場での消費サイクルや時期的な消費サイクルの変動などを導き出し、今後の消耗品の消費予測を算出する（ステップＳ５３）。
【００８０】
次に、生産管理装置３３は、ステップＳ５３で算出した消耗品の消費予測を消耗品の在庫管理に反映する（ステップＳ５４）。そして、生産管理装置３３は、消耗品の消費予測が反映された在庫管理に基づいて、消耗品の発注や生産を行わせる。
【００８１】
このように、本実施形態に係るメンテナンスシステム１によれば、メンテナンスＵＳＢメモリ４０をプリンタ制御装置２２に接続してメンテナンスＵＳＢメモリ４０に格納されたメンテナンスアプリケーションを起動することで、初めてプリンタ制御装置２２とネットワークＦＥＰ３１との通信回線が接続されて、インクジェットプリンタ２１のプリンタ機器情報がプリンタ制御装置２２からネットワークＦＥＰ３１に送信される。このように、メンテナンスＵＳＢメモリ４０をプリンタ制御装置２２に接続するというユーザ側の行為を契機としてネットワークＦＥＰ３１にプリンタ機器情報を送信するため、ユーザにセキュリティ上の不安を与えることなく、サービスセンター側でインクジェットプリンタ２１の具体的な状態を得ることができる。
【００８２】
そして、遠隔診断サービスによれば、ユーザに与えるセキュリティ上の不安を低減しつつ、プリンタ機器情報に基づいたインクジェットプリンタ２１の遠隔診断を行うことができ、診断装置３２においてインクジェットプリンタ２１の不具合発生状態を的確に把握することができる。そして、例えば、ユーザの簡単な作業で解消できる不具合の場合は、ユーザに作業内容を連絡することで保守員を派遣することなく迅速に不具合を解消することができ、保守員の派遣を必要とする不具合の場合であっても、保守員を派遣する前に不具合原因を絞り込むことができるため、現地での保守作業を迅速に行うことができる。
【００８３】
更に、この遠隔診断サービスにおいて、インクジェットプリンタ２１に対するメンテナンス部品の適合性を診断することで、適切なインクを使用しているか、インク特性に応じた設定になっているか等を判断することができるため、インクジェットプリンタ２１の不具合の発生原因の究明に役立てることが可能となる。
【００８４】
また、このようにして取得したプリンタ機器情報に基づいて遠隔保守サービスを行うことで、インクジェットプリンタ２１の不具合原因を的確に特定して、インクジェットプリンタ２１の不具合を早期に解決することができる。
【００８５】
また、消耗品監視サービスによれば、ユーザに与えるセキュリティ上の不安を低減しつつ、定期交換部品や消耗品などのメンテナンス部品の交換時期を予測することができる。そして、保守員による巡回保守計画を策定することで、保守員による無駄な巡回を低減して、効率的に保守員を巡回させることができる。
【００８６】
また、稼動状態監視サービスによれば、ユーザに与えるセキュリティ上の不安を低減しつつ、インクジェットプリンタ２１の稼動状態を監視することができる。そして、インクジェットプリンタ２１の不具合を発見すると、予め登録された通知手段でユーザに不具合の発生を通知するため、ユーザは、常にインクジェットプリンタ２１の前に待機しなくてもインクジェットプリンタ２１の不具合を知り得ることができる。このため、夜間や休日の無人運転の際に、例えば、インク切れによる記録中断、メディア切れによる記録中断、メディアとインクジェットヘッドとの擦れによる駆動トラブルなどが発生しても、これらの不具合がユーザに通知されるため、早急に不具合の解消を図ることが可能となる。
【００８７】
しかも、この稼動状態監視サービスでは、インクジェットプリンタ２１の動画像を監視するため、メンテナンス装置３０側では、インクジェットプリンタ２１の実際の稼動状態を視認することが可能となるため、監視者などによる視認により確実にインクジェットプリンタ２１の不具合を発見することが可能となる。
【００８８】
これらの場合、メンテナンスＵＳＢメモリ４０がプリンタ制御装置に接続されることによりメンテナンスアプリケーションが自動的に起動することで、ユーザがメンテナンスアプリケーションを立ち上げる手間を省くことができる。
【００８９】
更に、これらのサービスを行う際に、複数のプリンタ制御装置２２から送信された消耗品情報を集計することで、市場における消耗品の消費傾向を判断することができる。このため、この集計に基づいて消耗品の生産管理を行うことで、効率的な消耗品の生産及び在庫管理を行うことができる。
【００９０】
以上、本発明の好適な実施形態について説明したが、本発明は上記実施形態に限定されるものではない。例えば、上記実施形態において、プリンタ機器情報を例示したが、プリンタ機器情報はこれらの例示に限定されるものではなく、様々な情報を含めることができる。
【００９１】
また、上記実施形態では、遠隔診断サービスと遠隔保守サービスのみを一体の処理として説明したが、任意の複数のサービスを適宜一体的に行っても良い。
【００９２】
また、上記実施形態では、生産管理処理として消耗品の生産管理を行うものとして説明したが、定期交換部品などメンテナンス部品であれば如何なる物の生産管理を行うものとしても良い。
【００９３】
また、上記実施形態では、各サービスを個別に行う場合について説明したが、ユーザが複数のサービスを契約した場合は、例えば、メンテナンスＵＳＢメモリ４０をプリンタ制御装置２２に接続すると、プリンタ制御装置２２にメニュー画面を表示させ、ユーザにより提供を受けるサービス種別を選択させることで、所望のサービスを実行させるものとしても良い。
【００９４】
なお、メンテナンス装置３０は、更に情報発信装置を備え、プリンタ制御装置２２とネットワークＦＥＰ３１との間の通信回線が接続されると、この接続された通信回線を利用してプリンタ制御装置２２に様々な情報を発信（送信）するものとしても良い。これにより、ユーザに対して、プリンタ機器情報に対応した様々な情報を伝達することができ、更には、広告手段としても有効に利用することができる。
【符号の説明】
【００９５】
１…メンテナンスシステム、１０…ネットワーク、２０…プリンタシステム、２１…インクジェットプリンタ、２２…プリンタ制御装置、３０…メンテナンス装置、３１…ネットワークＦＥＰ、３２…診断装置、３３…生産管理装置、４０…メモリ。
【図１】
2012059123.tif 000003
【図２】
2012059123.tif 000004
【図３】
2012059123.tif 000005
【図４】
2012059123.tif 000006
【図５】
2012059123.tif 000007
【図６】
2012059123.tif 000008